【事件の表示】
　平成　７年特許願第１５７７３４号「タイミング再生回路」拒絶査定に対する審判事件［平成　９年　１月１０日出願公開、特開平　９−　　８８５８］について、次のとおり審決する。
【結　論】
　本件審判の請求は、成り立たない。
【理　由】
１．手続の経緯・本願発明
　本願は、平成７年６月２３日に出願されたものであり、本願の請求項１に係る発明は、平成１０年９月２４日付けの手続補正書により補正された明細書及び図面の記載からみて、特許請求の範囲の請求項１に記載された次のとおりのものと認める。
　「【請求項１】　複数の端末から、それぞれ異なる位相でバースト的に親局に到着する搬送波データ信号からクロック信号を再生するタイミング再生回路において、前記搬送波データ信号の到着を判定し、制御信号を出力するレベル検出回路と、前記搬送波データ信号をベースバンド・バーストデータ信号へ復調するキャリア復調回路と、復調された前記ベースバンド・バーストデータ信号中の一部の特定信号のみを前記制御信号を用いて抜き出すゲーティング回路と、前記特定信号を用いて前記ベースバンド・バーストデータ信号に同期したクロック信号を再生するディジタルＰＬＬ回路と、再生された前記クロック信号を用いて前記ベースバンド・バーストデータ信号の識別を行う識別回路で構成することを特徴とするタイミング再生回路。」
２．引用例記載の発明
　（１）これに対して、原審の拒絶の理由に引用した特開平4−２７４６３４号公報（以下、「引用例１」という。）には、下記ａ．の事項が記載されている。
ａ．「【産業上の利用分野】
　本発明は移動通信や衛星通信等の無線通信方式におけるスロット・タイミング同期方式に関する。
　　　【０００３】
　　【従来の技術】
　近年、移動通信や衛星通信等の無線通信ではＴＤＭＡ方式が広く用いられる。
特に、発着時等の制御にはランダムアクセス方式の無線パケット通信が多く用いられている。
　　　【０００４】
　これらのＴＤＭＡ方式や無線パケット方式ではバースト状に送られたデータを高速に捕捉し、捕捉したデータに含まれるタイミング同期用信号を用いて高速にクロック同期をはからなくてはならない。
　　　【０００５】
　一般に、これらのＴＤＭＡ方式等で用いられるバーストの構成は図７に表わされる。即ち、バーストの先頭にタイミング位相同期用のプリアンブルであるＢＴＲプリアンブル１０１を配し、それに引続き、データ１０２の始まりを示すと共に、パケット（バースト）の属性を明確にするためのユニークワード（ＵＷ）１０３が配されている。
　　　【０００６】
　従来、このようなバーストの捕捉並びにクロック同期には図８に示すような方式が用いられていた。即ち、入力信号は周波数変換部１１１で周波数変換され、ＩＦ帯でＲＳＳＩ（Received Signal Strength Indicator）と称される入力信号強度検出器１１２で入力信号の有無が検出される。つまり、入力信号強度が一定以上の場合、バーストの入力が検出される。さらに、バーストの入力が検出されると、受信信号は検波器１１３で検波され、その出力からクロック抽出用ＰＬＬ１１４等を用いてクロックが抽出される。そして、得られたクロックのタイミングに従って検波器１１３の出力を判定器１１５で判定し出力していた。」（２頁１欄２７行〜２欄７行）、
　これら記載事項並びに図面の記載を勘案すると、引用例１には、
「移動通信の無線通信方式において異なる時間にバースト状で受信される入力信号からクロックを再生するタイミング同期方式であって、周波数変換部１１１で周波数変換された入力信号から、ＩＦ帯で入力信号の有無を検出し信号を出力する入力信号検出器（ＲＳＳＩ）１１２と、周波数変換された入力を検波し検波された信号を出力する検波器１１３と、入力信号検出器の出力と検波器出力が入力され、検波された信号に含まれるタイミング同期用のＢＴＲプリアンブル１０１を用いてクロック信号を再生するクロック抽出用ＰＬＬ１１４と、再生された前記クロック信号を用いて前記検波された信号の判別を行う判定器で構成するタイミング同期方式。」
　を構成とする発明（以下、「引用例１記載の発明」という。）が記載されている。　
（２）また、原審の拒絶の理由に引用した特開平５−８３２４１号公報（以下、「引用例２」という。）には、下記ｂ．、ｃ．の事項が記載されている。
ｂ．「次に、図２を共に用いてプリアンブル抽出回路１の構成と動作を説明する。なお図２は、図１の○数字位置における波形を示す。図３において、１１は単安定マルチバイブレータ、１２はリトリガブル単安定マルチバイブレータ、１３、１４はＮＡＮＤゲート、１５はインバータ、１６はＡＮＤゲートである。単安定マルチバイブレータ１２は、Ａ入力が”L” のときに、Ｂ入力の立上りでトリガされて出力Ｑが”H”となり、予め設定した所定の時間幅τ1 の”H” を継続出力してから”L”に戻る。なお、Ａ入力が”H”のときは上記トリガはかからず出力Ｑは”L”のままである。そこで、この時間幅τ1 としてプリアンブルのビット数に相当する期間を設定しておき、Ａ入力に受信バースト信号｛１｝を入力しＢ入力には後述するインバータ１５の出力を入力する。」（４頁６欄４〜１７行）、
ｃ．「これによって、単安定マルチバイブレータ１１は、データ信号期間内にＢ入力に立上がりがあってもトリガされることはなく、プリアンブル信号の立上りのみでトリガされ時間幅τ１の間”Ｈ”のプリアンブル検出信号｛１｝を出力する。このプリアンブル検出信号｛１｝は、ＡＮＤゲート１６に入力し、他方の入力である受信バーストの入力である受信バースト信号｛１｝からプリアンブル信号｛７｝のみを抽出して、後段の位相同期発振器に送りプリアンブル期間以外は”０”を送る。」（４頁６欄４３行〜５頁７欄１行）、
　なお、前記記載における、｛１｝、｛７｝の記載は、引用例２では、丸数字の１、丸数字の７として記載されている。
　前記記載事項及び図１、２の記載を勘案すると、引用例２には、
「受信バーストデータ信号の立上がりから作成されたプリアンブル検出信号をゲート回路に入力し、バーストデータ信号中のプリアンブル信号のみをゲート回路により抜き出して、後段の位相同期発振器に送り、前記バーストデータ信号に同期したクロック信号を再生するクロック再生回路。」が記載されている。
　３．対比・判断
　本願の請求項１に係る発明と引用例１記載の発明とを対比すると、引用例１記載の発明において、入力信号が搬送波データ信号であることは自明のことであり、引用例１記載の発明において、検波器が搬送波データ信号を復調してベースバンド・バーストデータ信号を出力するものであることは自明のことである。そして、引用例１記載の発明の「クロックを再生するタイミング同期方式」、「入力信号検出器」、入力信号検出器の「出力」、「検波器」、「判定器」は各々本願の請求項１に係る発明の「クロック信号を再生するタイミング再生回路」、「レベル検出回路」、「制御信号」、「キャリア復調回路」、「識別回路」、に相当し、また、引用例１記載の発明の「タイミング同期用のＢＴＲプリアンブル」は、請求項１に係る発明の「ベースバンド・バーストデータ信号中の一部の特定信号」であり、請求項１に係る発明の「復調された前記ベースバンド・バーストデータ信号中の一部の特定信号のみを前記制御信号を用いて抜き出すゲーティング回路」及び「前記特定信号を用いて前記ベースバンド・バーストデータ信号に同期したクロック信号を再生するディジタルＰＬＬ回路」と、引用例１記載の発明の「入力信号検出器の出力と検波器出力が入力され、検波された信号に含まれるタイミング同期用のＢＴＲプリアンブルを用いてクロック信号を再生するクロック抽出用ＰＬＬ」とは、「制御信号と復調されたベースバンド・バーストデータ信号が入力され、復調されたベースバンド・バーストデータ信号中の一部の特定信号を用いてベースバンド・バーストデータ信号に同期したクロック信号を再生する回路」といえるものであるから、両者は、
　「異なる位相でバースト的に到着する搬送波データ信号からクロック信号を再生するタイミング再生回路において、前記搬送波データ信号の到着を判定し、制御信号を出力するレベル検出回路と、前記搬送波データ信号をベースバンド・バーストデータ信号へ復調するキャリア復調回路と、制御信号と復調された前記ベースバンド・バーストデータ信号が入力され、復調された前記ベースバンド・バーストデータ信号中の一部の特定信号を用いて前記ベースバンド・バーストデータ信号に同期したクロック信号を再生する回路と、再生された前記クロック信号を用いて前記ベースバンド・バーストデータ信号の識別を行う識別回路で構成することを特徴とするタイミング再生回路。」で一致し、
（１）異なる位相でバースト的に到着する搬送波データ信号が、請求項１に係る発明では、複数の端末から、それぞれ異なる位相でバースト的に親局に到着する搬送波データ信号であるのに対し、引用例１記載の発明では、このような記載がない点、
（２）制御信号と復調されたベースバンド・バーストデータ信号が入力され、復調されたベースバンド・バーストデータ信号中の一部の特定信号を用いてベースバンド・バーストデータ信号に同期したクロック信号を再生する回路について、請求項１に係る発明では、復調された前記ベースバンド・バーストデータ信号中の一部の特定信号のみを前記制御信号を用いて抜き出すゲーティング回路と、前記特定信号を用いて前記ベースバンド・バーストデータ信号に同期したクロック信号を再生するディジタルＰＬＬ回路を、用いる、のに対し、引用例１記載のる発明では、制御信号（入力信号検出器の出力）と復調されたベースバンド・バーストデータ（検波器出力）が入力され、復調された前記ベースバンド・バーストデータ信号中の一部の特定信号（検波された信号に含まれるタイミング同期用のＢＴＲプリアンブル）を用いてクロック信号を再生するクロック抽出用ＰＬＬ、である点、
で両者は相違する。
　上記相違点について検討する。
  相違点（１）について
　移動通信において、複数の端末から、それぞれ異なる位相でバースト的に基地局に到達する搬送波データを受信することは本件出願前より周知の技術（必要ならば、小川外１名　著「やさしいパーソナルハンディホン」平成７年２月１日初版発行、平成７年６月９日初版４刷、社団法人電気通信協会発行、株式会社オーム社発売　５４頁〜６０頁参照）であり、引用例１に記載された発明において「異なる位相でバースト的に到着する搬送波データ信号」を、「複数の端末から、それぞれ異なる位相でバースト的に親局に到着する搬送波データ信号」と、することは当業者が容易に成し得る程度の事項である。
　相違点（２）について
　受信バーストデータ信号の立上がりから作成されたプリアンブル検出信号をゲート回路に入力し、バーストデータ信号中のプリアンブル信号のみをゲート回路により抜き出して、後段の位相同期発振器に送り、前記バーストデータ信号に同期したクロック信号を再生するクロック再生回路は、引用例２に記載されており、引用例１記載の発明における、クロック信号を再生する回路について、引用例２記載の技術を適用し、その際、引用例１記載の発明の、レベル検出回路（入力信号検出器）の出力である制御信号を用いて、引用例２記載の技術のゲート回路を制御する信号（プリアンブル検出信号）を作り、ベースバンド・バーストデータ信号中の一部の特定信号（プリアンブル信号）のみを抜き出するようになし、引用例１記載の発明における、クロック信号を再生する回路について、復調された前記ベースバンド・バーストデータ信号中の一部の特定信号のみを前記制御信号を用いて抜き出すゲーティング回路と、前記特定信号を用いて前記ベースバンド・バーストデータ信号に同期したクロック信号を再生するディジタルＰＬＬ回路、をもって構成することは、当業者が容易に成し得る程度の事項である。
４．むすび
　以上のとおり、本願の請求項１に係る発明は、引用例１記載の発明及び引用例２記載の技術及び周知技術に基づいて、当業者が容易に発明をすることができたものと認められるから、特許法第２９条第２項の規定により特許を受けることができない。
　よって、結論のとおり審決する。